(57)【要約】【課題】  操作感触に優れ、円滑な回動操作が可能で、塵埃の発生が少ない操作入力装置を提供することにある。【解決手段】  ベース１０と、前記ベース１０に傾斜可能に弾性支持して立設した支軸３０と、上面に複数個の押しボタンスイッチ３４ａ〜３４ｄおよびホールＩＣ２４ａ，２４ｂを実装し、前記ベース１０に積み重ねて一体化したプリント基板２０と、前記プリント基板２０上に配置された操作板４０と、下面にＮ極およびＳ極を交互に配置した環状マグネット５５を組み付け、前記支軸３０の上端部に回動自在に支持された操作ダイヤル５０と、からなる。そして、前記操作ダイヤル５０を回動することにより、前記環状マグネット５５の磁束の変化を前記ホールＩＣ２４ａ，２４ｂで検出して回動方向を検出する一方、前記操作ダイヤル５０の外周縁部を押し下げることにより、前記操作板４０を介して前記押しボタンスイッチ３４ａ〜３４ｄを駆動する。【選択図】図３
2006228568.tif 000002
【特許請求の範囲】
【請求項１】
ベースと、前記ベースに傾斜可能に弾性支持して立設した支軸と、上面に複数個の押しボタンスイッチおよび磁界検出素子を実装し、前記ベースに積み重ねて一体化したプリント基板と、前記プリント基板上に配置された操作板と、下面にＮ極およびＳ極を交互に配置した環状マグネットを組み付け、前記支軸の上端部に回動自在に支持された操作ダイヤルと、からなり、
前記操作ダイヤルを回動することにより、前記環状マグネットの磁束の変化を前記磁界検出素子で検出して回動方向を検出する一方、前記操作ダイヤルの外周縁部を押し下げることにより、前記操作板を介して前記押しボタンスイッチを駆動することを特徴とする操作入力装置。
【請求項２】
ベースの軸孔に支軸を挿通し、前記ベースの軸孔の下面縁部と前記支軸の下端鍔部とで環状弾性体を挟持することにより、前記ベースに前記支軸を傾斜可能に弾性支持して立設したことを特徴とする請求項１に記載の操作入力装置。
【請求項３】
ベースの軸孔に支軸を挿通し、前記ベースの軸孔の内周面と前記支軸の外周面との間に環状弾性体を配置することにより、前記ベースに前記支軸を傾斜可能に弾性支持して立設したことを特徴とする請求項１または２に記載の操作入力装置。
【請求項４】
支軸が、同一軸心上、かつ、分離可能に螺合一体化される下方軸部と上方軸部とからなることを特徴とする請求項１ないし３のいずれか１項に記載の操作入力装置。
【請求項５】
操作ダイヤルと操作板との間に、摩擦係数の小さい摺動リングを配置したことを特徴とする請求項１ないし４のいずれか１項に記載の操作入力装置。
【請求項６】
請求項１ないし５のいずれか１項に記載の操作入力装置を用いたことを特徴とする電子機器。
【発明の詳細な説明】
【技術分野】
【０００１】
本発明は、携帯電話機、携帯用音楽プレーヤー、テレビ、ビデオ等の種々の電子機器に適用できる操作入力装置に関する。
【背景技術】
【０００２】
従来、携帯電話機等に使用される操作入力装置としては、例えば、ベースに立設した操作軸を介し、前記ベースの上面に配置したプッシュスイッチを駆動するものがある。
すなわち、操作軸２１の上端部に装着した操作つまみ１６を左右方向に回転操作し、回転体２２を回転させた後、前記操作つまみ１６を押圧操作して操作軸２１を下方に動かし、スイッチ部を動作させる操作入力装置である（特許文献１参照）。
【特許文献１】特開２００２−２５３９５号公報
【発明の開示】
【発明が解決しようとする課題】
【０００３】
しかしながら、前記入力装置では、操作つまみ１６を回動させる場合に、操作軸２１が回動および上下動が可能なように軸受２に嵌合支持されるとともに、ワッシャ４で抜け止めされている。このため、操作軸２１を円滑に回転操作することが容易でなく、操作感触が悪いだけでなく、円滑な回動操作が得にくいとともに、塵埃が発生しやすいという問題点がある。
【０００４】
本発明にかかる操作入力装置は、前記問題点に鑑み、操作感触に優れ、円滑な回動操作が可能で、塵埃の発生が少ない操作入力装置を提供することを課題とする。
【課題を解決するための手段】
【０００５】
本発明にかかる操作入力装置は、前記課題を解決すべく、ベースと、前記ベースに傾斜可能に弾性支持して立設した支軸と、上面に複数個の押しボタンスイッチおよび磁界検出素子を実装し、前記ベースに積み重ねて一体化したプリント基板と、前記プリント基板上に配置された操作板と、下面にＮ極およびＳ極を交互に配置した環状マグネットを組み付け、前記支軸の上端部に回動自在に支持された操作ダイヤルと、からなり、前記操作ダイヤルを回動することにより、前記環状マグネットの磁束の変化を前記磁界検出素子で検出して回動方向を検出する一方、前記操作ダイヤルの外周縁部を押し下げることにより、前記操作板を介して前記押しボタンスイッチを駆動する構成としてある。
【発明の効果】
【０００６】
本発明によれば、操作ダイヤルの外周縁部を押し下げると、支軸が傾斜して操作板を介して押しボタンスイッチを駆動する。このため、従来例のような操作ダイヤルの引っかかりがなくなり、高い操作感触が得られる。また、操作ダイヤルは支軸の上端部に回動可能に支持され、他の部品に接触することがないので、円滑な回動操作が得られるとともに、塵埃の発生を防止できる。
【０００７】
本発明にかかる実施形態としては、ベースの軸孔に支軸を挿通し、前記ベースの軸孔の下面縁部と前記支軸の下端鍔部とで環状弾性体を挟持することにより、前記ベースに前記支軸を傾斜可能に弾性支持して立設してもよい。また、ベースの軸孔に支軸を挿通し、前記ベースの軸孔の内周面と前記支軸の外周面との間に環状弾性体を配置することにより、前記ベースに前記支軸を傾斜可能に弾性支持して立設してもよい。
本実施形態によれば、前述と同一の効果が得られるだけでなく、設計する際の選択の範囲が広くなり、設計の自由度が広がる。
【０００８】
本発明にかかる他の実施形態としては、支軸が、同一軸心上、かつ、分離可能に螺合一体化される下方軸部と上方軸部とからなる構成としてもよい。
本実施形態によれば、支軸を２分割できるので、前記支軸の外周形状が複雑になっても、支軸全体としての製造が容易になる。
【０００９】
本発明にかかる別の実施形態としては、操作ダイヤルと操作板との間に、摩擦係数の小さい摺動リングを配置しておいてもよい。
本実施形態によれば、より一層円滑な回動操作が可能な操作入力装置が得られる。
【００１０】
前述の操作入力装置を携帯電話、携帯用音楽プレーヤー等の種々の電子機器に使用することにより、操作感触に優れ、円滑な回動操作が可能で、塵埃の発生が少ない電子機器が得られるという効果がある。
【発明を実施するための最良の形態】
【００１１】
本発明にかかる操作入力装置の実施形態を図１ないし図１２の添付図面に従って説明する。
第１実施形態にかかる操作入力装置は、図１ないし図７に示すように、携帯電話機１に適用した場合である。特に、図１に示すように、第１実施形態の携帯電話機１は、モニター２内のスクロールバー（図示せず）を操作入力装置３でスクロールし、後述する押しボタンスイッチ３４ａ〜３４ｄを介して選択指示を出すことができる。なお、４はテンキー、５はマイク、６はスピーカーである。
【００１２】
前記操作入力装置３は、図５及び図７に示すように、フレキシブルな樹脂フィルムからなるプリント基板２０を貼着一体化するベース１０と、下方軸部３１および上方軸部３２からなり、かつ、前記ベース１０の中央部に傾斜可能に弾性支持されて立設する支軸３０と、前記支軸３０に挿通して固定される操作板４０と、前記支軸３０の上端部にベアリング５７を介して回動自在に組み付けられる操作ダイヤル５０と、で構成されている。
【００１３】
前記ベース１０は、平面略円形であり、その中央に設けた軸孔１１を中心として同一円周上に複数の位置決め用突起１２を突設してある。さらに、前記ベース１０は、前記軸孔１１を間にして一対の固定用ネジ孔１３，１３、および、一対の組立用位置決め孔１４，１４をそれぞれ設けてある。また、前記ベース１０は、その外周端面に回り止め用突部１５および一対の圧接用突起１６，１６を突設してある。
【００１４】
プリント基板２０は、裏面に接着材を塗布して剥離紙（図示せず）に被覆された略円形の基板本体２１ａと、リード部２１ｂとからなる。前記基板本体２１ａは、その中央に設けた中心孔２２を中心として同一円周上に複数の位置決め孔２３を設けてあるとともに、前記中心孔２２を間にして一対のホールＩＣ２４ａ，２４ｂを実装してある。さらに、前記基板本体２１ａは、前記中心孔２２を中心として同一円周上に４つの導電部（図示せず）を均等なピッチで配置してある。前記導電部には、後述するシート状絶縁カバー３５の裏面に貼り付けた扁平なドーム状押しボタンスイッチ３４ａ〜３４ｄがそれぞれ実装される。
【００１５】
支軸３０は、同一軸心上、かつ、分離可能に螺合一体化される下方軸部３１と、上方軸部３２とからなる。特に、前記下方軸部３１は、その鍔部３１ａと前記ベース１０とで環状弾性体３３を挟持する。一方、前記上方軸部３２は、その鍔部３２ａが後述する操作板４０に溶接一体化される。
【００１６】
シート状絶縁カバー３５は、その裏面に予め貼り付けた扁平なドーム状押しボタンスイッチ３４ａ〜３４ｄを前記基板本体２１ａの導電部にそれぞれ実装して被覆する。また、前記シート状絶縁カバー３５は、その中央部に設けた中心孔３６を中心として同一円周上に複数の組立用位置決め孔３７を設けてある。
【００１７】
操作板４０は、中心に設けた軸孔４１を中心として同一円周上に４個の突き出し突部４２ａ〜４２ｄを突設してあるとともに、前記軸孔４１を間にして一対の窓部４３，４３を設けてある。また、前記操作板４０は、その外周縁部に形成したリブに回り止め用切り欠き部４４を設けてあるとともに、一対の圧接用舌片４５を切り出してある。さらに、前記突き出し突部４２ａ〜４２ｄの裏面には、操作用弾性体４６ａ〜４６ｄがそれぞれ貼り付けられ、前記押しボタンスイッチ３４ａ〜３４ｄをそれぞれ押圧可能となっている。そして、前記操作板４０は、前記軸孔４１に前記上方軸部３２の上端部を挿入し、その鍔部３２ａと溶接一体化される。
【００１８】
操作ダイヤル５０は、図５に示すように、その上面に操作用突起５１を設けてある。また、前記操作ダイヤル５０は、図７に示すように、その下面中央に突設した突部５２の下端面中央に後述するベアリング５７を固定する凹部５３を設けてあるとともに、前記凹部５３を中心として環状マグネット５５を嵌合，固定するための環状溝５４を同心円状に設けてある。
【００１９】
環状マグネット５５はＮ極およびＳ極を交互に配置したものであり、前記操作ダイヤル５０の環状溝５４に嵌合，固定される。本実施形態では、より一層の円滑な回動動作を確保するため、前記突部５２の周辺基部に摩擦係数の小さい摺動リング５６が取り付けられている。このため、操作ダイヤル５０に装着した摺動リング５６が操作板４０の上面に接触している場合、環状マグネット５５は前記突き出し突部４２ａ〜４２ｄの上面から少し浮き上がっている。
【００２０】
ベアリング５７は前記操作ダイヤル５０の円滑な回動を確保するため、前記操作ダイヤル５０の凹部５３に嵌合，固定される。したがって、前記操作ダイヤル５０は、前記摺動リング５６および前記ベアリング５７を介して回動するので、円滑な回動操作が可能となる。
【００２１】
次に、前述の構成部品からなる操作入力装置３の組立手順について説明する。
まず、前記ベース１０の軸孔１１の裏面縁部に環状弾性体３３を貼り付けた後、図示しない治具の位置決めピンに前記ベース１０の組立用位置決め孔１４を挿通して位置決めする。そして、前記ベース１０の位置決め突起１２に、一対のホールＩＣ２４ａ，２４ｂを実装したプリント基板２０の位置決め孔２３を嵌合して位置決めし、貼り付ける。ついで、裏面に押しボタンスイッチ３４ａ〜３４ｄを貼り付けたシート状絶縁カバー３５を、その位置決め孔３７を前記ベース１０の位置決め突起１２に嵌合し、前記プリトン基板２０の上面に貼り付けて電気的接続を行うとともに、一体化する。
【００２２】
一方、前記操作板４０の軸孔４１に上方軸部３２の上端部を挿入し、鍔部３２ａと溶接一体化するとともに、突き出し突部４２ａ〜４２ｄの裏面に操作用弾性体４６ａ〜４６ｄをそれぞれ貼り付ける。そして、前記ベース１０の軸孔１１に下方軸部３１を挿入し、前記上方軸部３２と螺合することにより、前記ベース１０に支軸３０を介して操作板４０を支持するとともに、下方軸部３１の鍔部３１ａとベース１０とで環状弾性体３３を挟持する。
【００２３】
ついで、操作ダイヤル５０の環状溝５４に環状マグネット５５を嵌合して貼り付けるとともに、突部５２の周辺基部に摺動リング５６を貼り付ける。さらに、前記突部５２に設けた凹部５３にベアリング５７を嵌合し、接着剤で固着する。
【００２４】
そして、図４に示すように、シート状絶縁カバー３５の中心孔３６から露出する上方軸部３２の上端部に、前記操作ダイヤル５０に固定したベアリング５７を圧入して一体化する。これにより、前記操作ダイヤル５０は支軸３０にベアリング５７を介して回動可能に支持される。また、前記支軸３０は環状弾性体３３を介してベース１０に固定されているが、前記支軸３０と前記ベース１０の軸孔１１との間には微小な隙間がある。このため、前記操作ダイヤル５０の外周縁部を押圧すると、前記支軸３０が少し傾き、押しボタンスイッチ３４ａ〜３４ｄを駆動できる。さらに、操作板４０の回り止め用切り欠き部４４がベース１０の回り止め用突部１５に係合し、操作板４０を回り止めする。特に、操作板４０の圧接用舌片４５がベース１０の圧接用突起１６に圧接するので、操作板４０にガタツキが生じないという利点がある。
【００２５】
次に、前述の構成からなる操作入力装置３の操作方法について説明する。
操作ダイヤル５０を回動すると、これと一体な環状マグネット５５が回動し、一対のホールＩＣ２４ａ，２４ｂが磁界の変化をそれぞれ検知し、これに基づいて回動方向および回動量を検出する。そして、その検出結果が図示しない制御回路を介してモニター２の画面表示にスクロールバーの移動として反映される。なお、前記支軸３０は環状弾性体３３を介してベース１０に支持されているが、前記環状弾性体３３が所定の硬度を有することから、操作ダイヤル５０の回動時には、前記支軸３０に不要なグラツキがなく、所望の操作感触を確保できる。
【００２６】
ついで、所望の位置にスクロールバーが到達した場合に、操作ダイヤル５０の所望の周辺縁部を押して選択指令を出力する。すなわち、操作ダイヤル５０の外周縁部を押し下げると、支軸３０を支持する環状弾性体３３が弾性変形し、前記支軸３０が少し傾く。このため、例えば、摺動リング５６が操作板４０を押し下げ、さらに、環状マグネット５５が操作板４０の突き出し突部４２ａを押し下げることにより、前記突き出し突部４２ａの裏面に貼り付けた操作用弾性体４６ａがシート状絶縁カバー３５を介して押しボタンスイッチ３４ａを駆動する。
【００２７】
そして、操作者が操作ダイヤル５０から指を離すと、環状弾性体３３が元の形状に復帰し、支軸３０が元の位置に復帰する。このため、操作ダイヤル５０に取り付けた摺動リング５６が操作板４０の上面に摺接するだけとなり、円滑な回動操作が失われることはない。
【００２８】
本実施形態によれば、操作板４０に突き出し突部４２ａ〜４２ｄを設けるとともに、操作用弾性体４６ａ〜４６ｄを貼り付けてある。このため、操作者の押し下げ位置が不正確であっても、突き出し突部４２ａ〜４２ｄおよび操作用弾性体４６ａ〜４６ｄを介して該当する押しボタンスイッチ３４ａ〜３４ｄを正確に押し下げることができ、誤操作を防止できる。
【００２９】
本願発明にかかる第２実施形態は、図８ないし図１２に示すように、前述の第１実施形態と基本的構成がほぼ同一であるので、同一部分には同一番号を附して説明する。
【００３０】
ベース１０は、図１０および図１２に示すように、平面略円形の金属製であり、その中央に設けた軸孔１１を中心として同一円周上に複数の固定用ネジ孔１３を設けてある。さらに、前記ベース１０は、前記軸孔１１を間にして一対の組立用位置決め孔１４，１４を設けるとともに、一対の位置決め用爪部１７ａ，１７ｂを切り起こしてある。また、前記ベース１０は、その外周縁部近傍に後述するプリント基板２０のリード部２１ｂを挿通できる長孔１８を設けてある。
【００３１】
プリント基板２０は、裏面に接着材を塗布して剥離紙（図示せず）に被覆された略円形の基板本体２１ａと、リード部２１ｂとからなる。前記基板本体２１ａは、その中央に設けた中心孔２２を間にして一対の位置決め孔２３，２３を設けてあるとともに、前記中心孔２２を間にして一対のホールＩＣ２４ａ，２４ｂを実装してある。さらに、前記基板本体２１ａは、前記中心孔２２を中心として同一円周上に４つの導電部２５ａ〜２５ｄを均等なピッチで配置してある。そして、前記プリトン基板２０は、前記中心孔２２の内周縁部に設けた一対の位置決め用切り欠き部２６，２６を、前記ベース１０の位置決め用爪部１７ａ，１７ｂに係合して位置決めすることにより、ベース１０上に貼り付けられる。
【００３２】
支軸３０は、同一軸心上、かつ、分離可能に螺合一体化される下方軸部３１と、上方軸部３２とからなる。特に、前記下方軸部３１は、その鍔部３１ａと前記ベース１０とで環状弾性体３３を挟持する。
【００３３】
シート状絶縁カバー３５は、その裏面の貼り付け部３８ａ〜３８ｄ（図１０および図１２）に予め貼り付けた扁平なドーム状押しボタンスイッチ３４ａ〜３４ｄを、前記基板本体２１ａの導電部２５ａ〜２５ｄにそれぞれ実装して被覆する。また、前記シート状絶縁カバー３５は、その中央部に設けた中心孔３６を間にして一対の組立用位置決め孔３７を設けてある。
【００３４】
操作板４０は、その中央に設けた軸孔４１の縁部内面に位置決め用切り欠き部４１ａ，４１ｂを設けてあるとともに、その縁部周辺に一段高い環状段部４１ｃを設けてある。また、前記操作板４０は、前記軸孔４１を中心として同一円周上に４つの操作用舌片４７ａ〜４７ｄを延在してある。前記操作用舌片４７ａ〜４７ｄの下面の先端縁部には操作用突起４８ａ〜４８ｄが突き出し加工で形成されている。そして、前記操作板４０は、前記切り欠き部４１ａ，４１ｂを前記ベース１０の位置決め用爪部１７ａ，１７ｂに係合することにより、水平方向に位置規制され、回動しない。
【００３５】
操作ダイヤル５０は、図１２に示すように、その下面中央に突設した突部５２の下端面中央に、後述するベアリング５７を固定する凹部５３を設けてあるとともに、前記凹部５３を中心として環状マグネット５５を嵌合，固定するための環状溝５４を同心円状に設けてある。
【００３６】
環状マグネット５５はＮ極およびＳ極を交互に配置したものであり、前述した操作ダイヤル５０の環状溝５４に嵌合，固定される。また、本実施形態によれば、より一層の円滑な回動動作を確保するため、前記環状マグネット５５の下面に摩擦係数の小さいシート状摺動リング５６が貼り付けられている。このため、操作ダイヤル５０に装着したシート状摺動リング５６が操作板４０の上面に摺接することになる。特に、本実施形態では、前記シート状摺動リング５６が操作板４０から延在した操作用舌片４７ａ〜４７ｄに摺接するだけであり、接触面積が少ないので、より一層円滑な回動動作が可能となる。
【００３７】
ベアリング５７は前記操作ダイヤル５０の円滑な回動を確保するため、前記操作ダイヤル５０の凹部５３に嵌合，固定される。したがって、前記操作ダイヤル５０は、前記シート状摺動リング５６および前記ベアリング５７を介して回動するので、円滑な操作が可能となる。
【００３８】
次に、前述の構成部品からなる操作入力装置３の組立手順について説明する。
まず、前記ベース１０の軸孔１１の裏面縁部に環状弾性体３３を貼り付けた後、図示しない治具の位置決めピンに前記ベース１０の組立用位置決め孔１４を挿通して位置決めする。一方、前記ベース１０の位置決め用爪部１７ａ，１７ｂに、一対のホールＩＣ２４ａ，２４ｂを実装したプリント基板２０の位置決め用切り欠き部２６，２６をそれぞれ係合して位置決めし、貼り付ける。ついで、裏面に押しボタンスイッチ３４ａ〜３４ｄを予め貼り付けたシート状絶縁カバー３５を、その位置決め孔３７を前記治具の位置ピンに嵌合して前記プリトン基板２０の上面に位置決めし、貼り付ける。この結果、前記押しボタンスイッチ３４ａ〜３４ｄがプリント基板２０に電気的接続される。
【００３９】
さらに、前記ベース１０の軸孔１１に上方軸部３２の上端部を挿入し、これに下方軸部３１を螺合することにより、前記ベース１０に支軸３０を立設する。本実施形態によれば、下方軸部３１の鍔部３１ａと上方鍔部３２の鍔部３２ａとでベース１０および環状弾性体３３を挟持して抜け止めされる（図８Ａ，図８Ｂ参照）。ただし、前記支軸３０は前記ベース１０の軸孔１１との間に若干の隙間を有し、傾動可能となっている。そして、前記ベース１０の位置決め用爪部１７ａ，１７ｂに操作板４０の切り欠き部４１ａ，４１ｂを係合して位置決めする。
【００４０】
一方、操作ダイヤル５０の環状溝５４に環状マグネット５５を嵌合して貼り付けるとともに、前記突部５２の周辺基部にシート状摺動リング５６を貼り付ける。さらに、前記突部５２に設けた凹部５３にベアリング５７を嵌合し、接着剤で固着する。
【００４１】
そして、図９Ａおよび図１１に示すように、前記操作板４０の軸孔４１から露出する上方軸部３２の上端部に、前記操作ダイヤル５０に固定したベアリング５７を圧入して一体化する。これにより、前記操作ダイヤル５０は支軸３０にベアリング５７を介して回動自在に支持される。さらに、前記操作ダイヤル５０で操作板４０を押し下げると、前記支軸３０が傾斜するとともに、前記操作板４０の操作用突起４８ａ〜４８ｄが対応する押しボタンスイッチ３４ａ〜３４ｄをそれぞれ駆動する。
【００４２】
次に、前述の構成からなる操作入力装置３の操作方法について説明する。
操作ダイヤル５０を回動すると、これと一体に環状マグネット５５が回動し、一対のホールＩＣ２４ａ，２４ｂが磁界の変化をそれぞれ検知し、これに基づいて回動方向および回動量を検出する。そして、その検出結果が図示しない制御回路を介してモニター２の画面表示にスクロールバーの移動として反映される。なお、前記支軸３０は環状弾性体３３を介してベース１０に支持されているが、前記環状弾性体３３が所定の硬度を有することから、操作ダイヤル５０の回動時には、前記支軸３０に不要なグラツキがなく、所望の操作感触を確保できる。
【００４３】
ついで、所望の位置にスクロールバーが到達した場合に、操作ダイヤル５０の所望の周辺縁部を押して選択指令を出力する。すなわち、操作ダイヤル５０の周辺縁部を押し下げると、支軸３０を支持する環状弾性体３３が弾性変形し、前記支軸３０が少し傾く。このため、例えば、操作ダイヤル５０が操作板４０の環状段部４１ｃを押し下げる。この結果、操作板４０の操作用突起４８ａがシート状絶縁カバー３５を介して押しボタンスイッチ３４ａを駆動する。
【００４４】
そして、操作者が操作ダイヤル５０から指を離すと、環状弾性体３３が元の形状に復帰し、支軸３０が元の位置に復帰する。このため、操作ダイヤル５０に取り付けたシート状摺動リング５６が操作板４０の上面に摺接するだけとなり、円滑な回動操作が失われることはない。
【００４５】
本実施形態によれば、操作板４０に操作用突起４８ａ〜４８ｄを設けてある。このため、操作者の押し下げ位置が不正確であっても、操作用突起４８ａ〜４８ｄを介して該当する押しボタンスイッチ３４ａ〜３４ｄを正確に駆動し、誤操作を防止できる。
【００４６】
前述の実施形態では、支軸３０の鍔部３１ａとべース１０とで環状弾性体３３を挟持しつつ、前記支軸３０を前記ベース１０に立設する場合について説明したが、必ずしもこれに限らない。例えば、基板１０の軸孔１１の内周面と支軸３０の外周面との間に環状弾性体を介在させることにより、前記支軸３０を前記ベース１０に傾斜可能に立設してもよい。また、前記環状弾性体３３は断面略Ｌ字形の弾性材からなるものであってもよい。
【産業上の利用可能性】
【００４７】
本発明にかかる操作入力装置は携帯電話機に限らず、他のモバイル機器や携帯用音楽プレーヤー、テレビ、ビデオ等の電子機器に適用してもよいことは勿論である。
【図面の簡単な説明】
【００４８】
【図１】本発明にかかる操作入力装置を適用した携帯電話機の斜視図である。
【図２】図２Ａ，２Ｂは図１で示した操作入力装置の上方，下方斜視図である。
【図３】図３Ａ，３Ｂ，３Ｃは図１で示した操作入力装置の平面図、Ｂ−Ｂ線断面図、Ｃ−Ｃ線断面図である。
【図４】図２で示した操作入力装置の組立工程を説明するための上方分解斜視図である。
【図５】図２で示した操作入力装置の上方分解斜視図である。
【図６】図２で示した操作入力装置の組立工程を説明するための下方分解斜視図である。
【図７】図２で示した操作入力装置の下方分解斜視図である。
【図８】本発明にかかる操作入力装置の第２実施形態を示す平面図、Ｂ−Ｂ線断面図、Ｃ−Ｃ線断面図である。
【図９】図９Ａ，９Ｂは図８で示した操作入力装置の組立工程を説明するための上方分解斜視図、および、部分斜視図である。
【図１０】図８で示した操作入力装置の上方分解斜視図である。
【図１１】図８で示した操作入力装置の組立工程を説明するための下方分解斜視図である。
【図１２】図８で示した操作入力装置の下方分解斜視図である。
【符号の説明】
【００４９】
１０：ベース
１１：軸孔
１２：位置決め用突起
１３：固定用ネジ孔
１８：長孔
【００５０】
２０：プリント基板
２１ａ：基板本体
２２：中心孔
２３：位置決め孔
２４ａ，２４ｂ：ホールＩＣ
２５ａ〜２５ｄ：導電部
【００５１】
３０：支軸
３１：下方軸部
３１ａ：鍔部
３２：上方軸部
３２ａ：鍔部
３４ａ〜３４ｄ：押しボタンスイッチ
３５：シート状絶縁カバー
３６：中心孔
３８ａ〜３８ｄ：貼り付け部
【００５２】
４０：操作板
４１：軸孔
４２ａ〜４２ｂ：突き出し突部
４３：窓部
４４：回り止め用切り欠き部
４５：圧接用舌片
４６ａ〜４６ｄ：操作用弾性体
４７ａ〜４７ｄ：操作用舌片
４８ａ〜４８ｄ：操作用突起
【００５３】
５０：操作ダイヤル
５１：操作用突起
５２：突部
５３：凹部
５４：環状溝
５５：環状マグネット
５６：摺動リング
５７：ベアリング
【図１】
2006228568.tif 000003
【図２】
2006228568.tif 000004
【図３】
2006228568.tif 000005
【図４】
2006228568.tif 000006
【図５】
2006228568.tif 000007
【図６】
2006228568.tif 000008
【図７】
2006228568.tif 000009
【図８】
2006228568.tif 000010
【図９】
2006228568.tif 000011
【図１０】
2006228568.tif 000012
【図１１】
2006228568.tif 000013
【図１２】
2006228568.tif 000014